(57)【要約】【課題】アンテナの設置作業や再調整作業を簡単かつ効率よく行うことができるようにする。【解決手段】チューナ部１２は、受信した放送信号から所望のチャンネルを選局して受信信号ＲＳを出力する。ディジタル復調部１３は受信信号ＲＳの復調処理を行い、トランスポートストリームＴＳrを出力する。誤り訂正処理部１４はストリームＴＳrの誤り訂正を行い、デマルチプレクサ１５で所望の番組の画像や音声のパケットを抽出してデコーダ部２１で復号化する。ディジタル復調部１３や誤り訂正処理部１４はアンテナレベルを制御部５０に供給する。制御部５０は、チューナ部１２で選局するチャンネルを順次繰り返し切り換えて、チャンネル毎のアンテナレベルを取得する。さらに、オンスクリーン表示処理部３２を制御して、表示部６０の画面上に各チャンネルのアンテナレベルを一覧表示させる。【選択図】        図１
2009055460.tif 000002
【特許請求の範囲】
【請求項１】
テレビジョン放送を受信する放送受信装置において、
受信した放送信号から所望のチャンネルを選局するチューナ部と、
前記チューナ部で選局されたチャンネルの信号に基づいてアンテナレベルを計測する計測部と、
前記アンテナレベルを表示するための表示信号を生成する表示処理部と、
前記チューナ部で選局するチャンネルを順次切り換えて、前記計測部でチャンネル毎のアンテナレベルを計測させて、該チャンネル毎のアンテナレベルを一覧表示する表示信号を前記表示処理部で生成させる制御部とを有する
ことを特徴とする放送受信装置。
【請求項２】
前記制御部は、前記チューナ部で選局するチャンネルを繰り返し切り換えて、前記計測部で各チャンネルのアンテナレベルを計測するものとして、前記一覧表示ではチャンネル毎に前記アンテナレベルの最大値と最新の計測値を表示させる
ことを特徴とする請求項１記載の放送受信装置。
【請求項３】
前記制御部は、各チャンネルのアンテナレベルの一覧表示において、前記チューナ部で選局中のチャンネルを他のチャンネルと識別可能とする
ことを特徴とする請求項１記載の放送受信装置。
【請求項４】
前記テレビジョン放送の番組の画像を表示する表示部を設け、
前記表示処理部で生成された表示信号に基づき、前記表示部で前記チャンネル毎のアンテナレベルを一覧表示させる
ことを特徴とする請求項１記載の放送受信装置。
【請求項５】
テレビジョン放送を受信する放送受信装置のアンテナレベル表示方法において、
受信した放送信号から所望のチャンネルを選局する選局ステップと、
前記選局ステップで選局されたチャンネルの信号に基づいてアンテナレベルを計測する計測ステップと、
前記アンテナレベルを表示するための表示信号を生成する表示信号生成ステップを設けて、
前記選局ステップで選局するチャンネルを順次切り換えて、前記計測ステップでチャンネル毎のアンテナレベルを計測するものとして、該チャンネル毎のアンテナレベルを一覧表示する表示信号を前記表示信号生成ステップで生成する
ことを特徴とするアンテナレベル表示方法。
【発明の詳細な説明】
【技術分野】
【０００１】
この発明は、放送受信装置とアンテナレベル表示方法に関する。詳しくは、アンテナの設置作業や再調整作業等を行う際に、各チャンネルにおけるアンテナレベルを容易に確認できるようにするものである。
【背景技術】
【０００２】
放送信号を受信する場合、アンテナの方向によりアンテナレベルが大きく変動する。このため、例えばアンテナを設置する際に、アンテナレベルを容易に知ることができるように、放送受信装置でアンテナレベルを表示することが行われている。例えば特許文献１の発明では、中間周波信号のＣ／Ｎに比例している信号成分を分離して直流信号化を行い、得られた直流信号に基づいて、直流信号のレベルを表示することで、アンテナレベルを定量的かつ正確に表示することが行われている。また、特許文献２の発明では、信号点の振れ幅の平均値に基づくＣ／Ｎ比と、エラーレートに基づくＣ／Ｎ比の値を計測して、これら２つのＣ／Ｎ比から、表示すべきＣ／Ｎ比を判断して、適応的に切り換えて表示することが行われている。
【０００３】
【特許文献１】特開平６−２２４７９３号公報
【特許文献２】特開２００３−２３００７０号公報
【発明の開示】
【発明が解決しようとする課題】
【０００４】
ところで、従来のアンテナレベル表示画面は、例えば図４に示すように構成されており、チューナ部で選局される伝送チャンネル（周波数チャンネルあるいは物理チャンネルともいう）、サービスを示す３桁チャンネル番号（編成チャンネル番号）、現在受信中の放送、アンテナレベルの最大値と現在値、および現在のアンテナレベルを示すバー表示が設けられている。なお、ビープ音とは、アンテナレベルに応じて周波数が変化されるビープ音を出力するように設定されているか否かを示す表示である。このような従来のアンテナレベル表示では、１つの選択した伝送チャンネルのアンテナレベルが表示されている。
【０００５】
また、アンテナの設置作業や再調整作業を行う場合、選局しているチャンネルのアンテナレベルが最大となるようにアンテナを設定しても、他のチャンネルを選局したときにアンテナレベルが低下した状態となってしまう場合がある。例えば、地上波放送の場合、アンテナの向きが送信所の方向を向いていなくとも、建物の反射波等によってアンテナレベルが大きくなるときがある。このような場合、アンテナの向きが送信所の方向を向いていないことから、選局しているチャンネルのアンテナレベルが最大となっても、他のチャンネルではアンテナレベルが低下した状態となってしまう。
【０００６】
したがって、いずれのチャンネルでもアンテナレベルが良好となるようにアンテナの設定を行うためには、チャンネル切換操作を行って各チャンネルのアンテナレベルを確認しなければならない。ここで、チャンネル切換操作では、例えば図５に示すように、伝送チャンネル表示ＨＢを選択して伝送チャンネル切換操作を可能としたのち、チャンネルアップ操作やチャンネルダウン操作を行わなければならず、簡単に各チャンネルのアンテナレベルを確認することができない。
【０００７】
また、チャンネル数が多くなると、アンテナレベルを記録しておかなければ、各チャンネルのアンテナレベルがどの程度であったか判らなくなってしまう。
【０００８】
さらに、アンテナレベルが良好でないときは、アンテナの向き等を再調整して、再度、伝送チャンネルの切換操作を行ってアンテナレベルが良好となっているかをチャンネル毎に確認しなければならず、アンテナの設置作業や再調整作業が非常に煩雑である。
【０００９】
そこで、この発明では、アンテナの設置作業や再調整作業を簡単かつ効率よく行うことができる放送受信装置およびアンテナレベル表示方法を提供するものである。
【課題を解決するための手段】
【００１０】
この発明の概念は、チューナ部で選局されるチャンネル毎にアンテナレベルを計測して、計測されたチャンネル毎のアンテナレベルを一覧表示する表示信号を生成することにある。
【００１１】
この発明の放送受信装置は、テレビジョン放送を受信する放送受信装置において、受信した放送信号から所望のチャンネルを選局するチューナ部と、前記チューナ部で選局されたチャンネルの信号に基づいてアンテナレベルを計測する計測部と、前記アンテナレベルを表示するための表示信号を生成する表示処理部と、前記チューナ部で選局するチャンネルを順次切り換えて、前記計測部でチャンネル毎のアンテナレベルを計測させて、該チャンネル毎のアンテナレベルを一覧表示する表示信号を前記表示処理部で生成させる制御部とを有するものである。
【００１２】
また、この発明に係るアンテナレベル表示方法は、テレビジョン放送を受信する放送受信装置のアンテナレベル表示方法において、受信した放送信号から所望のチャンネルを選局する選局ステップと、前記選局ステップで選局されたチャンネルの信号に基づいてアンテナレベルを計測する計測ステップと、前記アンテナレベルを表示するための表示信号を生成する表示信号生成ステップを設けて、前記選局ステップで選局するチャンネルを順次切り換えて、前記計測ステップでチャンネル毎のアンテナレベルを計測するものとして、該チャンネル毎のアンテナレベルを一覧表示する表示信号を前記表示信号生成ステップで生成するものである。
【発明の効果】
【００１３】
この発明によれば、チャンネル毎のアンテナレベルを一覧表示する表示信号が生成されるので、この表示信号に基づいて各チャンネルのアンテナレベルを一覧表示することで、アンテナの設置作業や再調整作業を簡単かつ効率よく行うことができるようになる。
【発明を実施するための最良の形態】
【００１４】
以下、図を参照しながら、この発明の実施の一形態について説明する。図１は放送受信装置の構成を示している。
【００１５】
放送受信装置１０のアンテナ１１は、テレビジョン放送を受信して得られた放送信号ＲＦをチューナ部１２に供給する。チューナ部１２は、所望のチャンネルを選局して得られた受信信号ＲＳをディジタル復調部１３に供給する。
【００１６】
ディジタル復調部１３は、テレビジョン放送で用いられている変調方式に対応した復調処理例えばＱＦＤＭ復調処理およびＱＰＳＫ復調処理あるいはＱＡＭ復調処理等を行い、得られた復調信号であるトランスポートストリームＴＳrを誤り訂正処理部１４に供給する。またディジタル復調部１３は、ＱＰＳＫ復調処理あるいはＱＡＭ復調処理等を行うことで得られたＩ軸方向およびＱ軸方向の信号成分で示される信号点について振れ幅の平均値を算出して制御部５０に供給できるようになされている。この信号点の振れ幅は、Ｃ／Ｎ比(Carrier to Noise ratio)が悪化したときに振れ幅が大きくなる。ここで、予めランダムノイズを重畳して任意の強さのＣ／Ｎ比に変調された信号と、この変調された信号を復調したときの振れ幅の平均値との関係を求めておけば、ディジタル復調部１３は、振れ幅の平均値からＣ／Ｎ比を求めることができる。したがって、ディジタル復調部１３は振れ幅の平均値からＣ／Ｎ比を求めて、このＣ／Ｎ比をアンテナレベルＬaに置き換えて制御部５０に供給する。
【００１７】
誤り訂正処理部１４では、トランスポートストリームＴＳrの誤り訂正処理を行い、誤り訂正がなされたトランスポートストリームＴＳsをデマルチプレクサ１５に供給する。また、誤り訂正処理部１４は、誤り訂正処理前のトランスポートストリームＴＳrと誤り訂正処理後のトランスポートストリームＴＳsを比較してエラーレートを算出して、このエラーレートをアンテナレベルＬbに置き換えて制御部５０に制御部５０に供給できるように構成してもよい。
【００１８】
デマルチプレクサ１５は、トランスポートストリームＴＳsに時分割多重されている画像信号ＤＴv、音声信号ＤＴaを分離してデコーダ部２１に供給する。また、番組を選局するための選局情報と番組に関する番組情報を有した情報信号ＤＴcやデータ放送信号ＤＴdを分離して制御部５０に供給する。
【００１９】
デコーダ部２１は、デマルチプレクサ１５から供給された画像信号ＤＴvの復号を行い、得られた画像信号ＶＳaを画像切換部３１に供給する。また、デコーダ部２１は、音声信号ＤＴaの復号を行い、得られた音声信号ＡＳaを音声切換部４１に供給する。
【００２０】
画像切換部３１は、入力端子２２が接続されており、この入力端子２２を介して外部機器からコンポジット方式やコンポーネント方式、ＨＤＭＩ(High Definition Multimedia Interface)方式、ＤＶＩ(Digital Visual Interface)方式等の画像信号の入力を行うことができるようになされている。また、画像切換部３１にはオンスクリーン表示処理部３２が接続されており、画像切換部３１は、デコーダ部２１から供給された画像信号ＶＳaあるいは入力端子２２を介して供給された画像信号ＶＳbのいずれかを選択して、画像信号ＶＳcとしてオンスクリーン表示処理部３２に供給する。
【００２１】
オンスクリーン表示処理部３２は、後述する制御部５０からの制御信号ＣＴに基づき、メニュー画面等のオンスクリーン表示信号を生成する。さらに、オンスクリーン表示信号と画像切換部３１から供給された画像信号ＶＳcを合成して、画像信号ＶＳcに基づく画像にオンスクリーン表示信号に基づく画像が合成した画像の画像信号ＶＳdを生成して信号処理部３３に供給する。
【００２２】
信号処理部３３は、オンスクリーン表示処理部３２から供給された画像信号ＶＳdを用いてインタレース／プログレッシブ変換(Ｉ／Ｐ変換)処理や画素数変換処理等を必要に応じて行う。さらに、処理後の画像信号に対してシャープネス補正や色合い補正、ホワイトバランス補正、ノイズ除去等の画質改善処理を行い、画像信号ＶＳeとして画像出力処理部３４に供給する。
【００２３】
画像出力処理部３４には、例えばＬＣＤ（Liquid Crystal Display），ＰＤＰ（Plasma Display Panel），ＥＬ(Electro Luminescence)，陰極線管などの表示デバイスを用いて構成された表示部６０が接続されている。画像出力処理部３４は、画像信号ＶＳeに基づき、表示デバイスを駆動するための表示駆動信号ＤＲvを生成して表示部６０に供給する。このため表示部６０で画像表示を行うことができる。また、画像出力処理部３４は、外部機器（図示せず）に画像信号を供給するとき、画像信号ＶＳeを外部機器に対応したフォーマットの出力信号Ｖoutとして出力する。
【００２４】
音声切換部４１には、入力端子２３が接続されており、この入力端子２３を介して外部機器から音声信号ＡＳcを入力することができるようになされている。また、音声切換部４１には音声出力処理部４２が接続されており、音声切換部４１は、デコーダ部２１から供給された音声信号ＡＳaあるいは入力端子２３を介して供給された音声信号ＡＳbのいずれかを選択して、音声信号ＡＳcとして音声出力処理部４２に供給する。
【００２５】
音声出力処理部４２には、スピーカを用いて構成された音声出力部６５が接続されている。音声出力処理部４２は、音声切換部４１から供給された音声信号ＡＳcを用いて音声処理例えば信号レベル調整や音質調整、ノイズ除去処理等を行い、音声処理後の音声出力信号ＤＲaを音声出力部６５に供給して音声出力を行う。また、音声出力処理部４２は、外部機器（図示せず）に音声信号を供給するとき、音声処理後の信号を外部機器に対応したフォーマットの出力信号Ａoutとして出力する。
【００２６】
制御部５０にはユーザインタフェース部５１や記憶部５２が接続されている。ユーザインタフェース部５１はユーザ操作に応じた操作信号ＰＳを制御部５０に供給するものであり、例えば操作キーやリモートコントロール信号受信部等で構成されている。
【００２７】
記憶部５２は、デマルチプレクサ１５で分離された情報信号ＤＴcを記憶する。また、アンテナの設置を行うときには各チャンネルのアンテナレベルを記憶する。
【００２８】
制御部５０は、バス５５を介して上述の各部と接続されている。制御部５０は、ユーザインタフェース部５１からの操作信号ＰＳに基づき、制御信号ＣＴを生成して各部に供給することで、放送受信装置の動作がユーザ操作に応じた動作となるように制御する。例えば、ユーザインタフェース部５１から供給された操作信号ＰＳによって、チャンネル切り換えや入力切り換え等の信号切り換え操作が行われたことが示されたとき、制御部５０は、所望のチャンネルや外部から供給された画像／音声の提示等を行うことができるように、チューナ部１２の選局動作や、デコーダ部２１の復号処理、画像切換部３１および音声切換部４１の切り換え動作等を制御する。例えば、記憶部５２に記憶されている選局情報を用いて、チューナ部１２に対して周波数情報に基づいた選局制御と、デマルチプレクサ１５に対してテーブル情報に基づいたパケット分離制御を行うことで、所望の番組の選局や選局した番組の画像信号や音声信号を生成することが可能となる。また、画像切換部３１および音声切換部４１の切り換え動作を制御して、テレビジョン放送だけでなく、入力端子２２から供給された画像信号に基づいた画像表示を行うことが可能となる。また、オンスクリーン表示処理部３２を制御して、電子番組表の表示、番組の検索，予約および内容の確認等や、データ放送信号ＤＴdに基づきデータ放送の画像表示等も行う。
【００２９】
さらに、制御部５０は、ユーザインタフェース部５１から供給された操作信号ＰＳによってアンテナレベル表示モードが選択されたとき、チューナ部１２やディジタル復調部１３、誤り訂正処理部１４、オンスクリーン表示処理部３２の動作を制御して、例えば表示部６０の画面上に、各チャンネルのアンテナレベルを一覧表示する。
【００３０】
次に、アンテナレベル表示動作について図２のフローチャートを用いて説明する。ステップＳＴ１で制御部５０は、アンテナレベル表示モードが選択されたか否かを判別する。制御部５０は、アンテナレベル表示モードに設定されているときステップＳＴ２に進み、アンテナレベル表示モードに設定されていないときはアンテナレベル表示動作を行うことなく他の動作を行う。
【００３１】
ステップＳＴ２で制御部５０は、最初のチャンネルを選局する。放送受信装置は、ユーザ側で最初に動作が行われたときに、放送受信装置が用いられる地域を選択させるための地域選択メニューを表示して、地域の指定がなされたとき、指定した地域で受信可能なチャンネルを自動的に登録することができるようになされている。また、チャンネルスキャン動作を行い、受信できるチャンネルを検出して自動的に登録することができるようになされている。このため、制御部５０は、登録されている最初のチャンネルを選局するようにチューナ部１２を制御してステップＳＴ３に進む。なお、チャンネルスキャン動作を行いながらアンテナレベル表示を行うときは、最初のチャンネルが検出されたときステップＳＴ３に進む。
【００３２】
ステップＳＴ３で制御部５０は、アンテナレベル計測処理を行う。制御部５０は、ディジタル復調部１３を制御して、受信信号の信号点について振れ幅の平均値を算出させる。さらに制御部５０は、算出された平均値をアンテナレベルＬaに換算させて、制御部５０に供給させる。また、制御部５０は、誤り訂正処理部１４を制御してエラーレートを算出させる。さらに、制御部５０は、振れ幅の平均値から得られたアンテナレベルＬaとエラーレートから得られたアンテナレベルＬbを適応的に切り換えるものとしてもよい。制御部５０は、いずれのチャンネルのアンテナレベルであるかを識別可能としてアンテナレベルを記憶部５２に記憶させる。また、同じチャンネルでアンテナレベルの計測を複数回行ったときは、少なくともアンテナレベルの最大値と最新のアンテナレベルを記憶させる。
なお、上述の形態では、ディジタル復調部１３と誤り訂正処理部１４でアンテナレベルを計測して制御部５０に供給するものとしたが、制御部５０を計測部として動作させるものとしてもよい。すなわち、ディジタル復調部１３から振れ幅の平均値、誤り訂正処理部１４からエラーレートを制御部５０に供給して、制御部５０でアンテナレベルを算出するものとしてもよい。この場合、ディジタル復調部１３と誤り訂正処理部１４の構成および処理が容易となる。
【００３３】
ステップＳＴ４で制御部５０は、一覧表示処理を行う。制御部５０は、各チャンネルのアンテナレベルを同時に確認できるようにするため、記憶部５２に記憶されている各チャンネルのアンテナレベルの読み出しとオンスクリーン表示処理部３２の制御を行い、例えば表示部６０の画面上にチャンネル毎のアンテナレベルを一覧表示させる処理を行う。また、チャンネル毎のアンテナレベルを一覧表示する場合、現在選局しているチャンネルのアンテナレベルを識別できるように、選局しているチャンネルのアンテナレベルは、他のチャンネルのアンテナレベルと区分できるように表示する。例えば輝度や色、表示サイズ等を他のチャンネルとは異なるように表示させる。
【００３４】
ステップＳＴ５で制御部５０は、アンテナレベル表示モードの終了であるか否かを判別する。制御部５０は、アンテナレベル表示モードを終了する操作が行われていないときはステップＳＴ６に進み、アンテナレベル表示モードを終了する操作が行われたときは、アンテナレベル表示動作を終了させる。
【００３５】
ステップＳＴ６で制御部５０は、最後のチャンネルの選局であるか否かを判別する。制御部５０は、選局しているチャンネルがプリセットされている最後のチャンネルであると判別したときにはステップＳＴ２に戻り、最初のチャンネルから再度アンテナレベルの測定を行う。また、選局しているチャンネルがプリセットされている最後のチャンネルと判別されないときはステップＳＴ７に進む。
【００３６】
ステップＳＴ７で制御部５０は、次のチャンネルを選局してステップＳＴ３に戻り、新たに選局したチャンネルについてアンテナレベルの測定を行う。
【００３７】
図３はアンテナレベル表示動作を行ったときに表示部６０で表示されるアンテナレベル表示画面を例示したものである。アンテナレベル一覧表示では、所定数（図３では例えば「１２」）のアンテナレベル表示領域ＨＡ-1〜ＨＡ-12が設けられている。アンテナ表示領域ＨＡ-1〜ＨＡ-12では、放送方式とチャンネル番号、計測されたアンテナレベルの最大値、アンテナレベルの最新の計測値である現在のアンテナレベルが表示されるように構成されている。
【００３８】
ここで、図２に示すアンテナレベル表示動作を行うものとすると、プリセットされた各チャンネルのアンテナレベルが順次表示される。また、各チャンネルのアンテナレベルの計測が繰り返し行われて、アンテナレベルの最大値と現在値が一覧として表示されることとなる。
【００３９】
例えばアンテナレベル表示領域ＨＡ1では、放送方式が地上波ディジタル放送であることを示す表示「地上Ｄ」、チャンネル番号を示す表示「０１１」、アンテナレベルの最大値を示す表示「最大：４３」、現在のアンテナレベルを示す表示「現在：３０」が設けられている。また、アンテナレベル表示領域ＨＡ2〜ＨＡ9においてもアンテナレベル表示領域ＨＡ1と同様に、各チャンネルの現在値と最大値等が表示される。なお、図３では、プリセットされているチャンネルの数がアンテナレベル表示領域の数よりも少ないため、アンテナレベル表示領域ＨＡ10〜ＨＡ12ではアンテナレベルの現在値と最大値が「０」とされている。
【００４０】
このように、アンテナレベル表示で各チャンネルの計測結果を一覧表示すれば、メニュー画面でチャンネルの切換操作を行うことなく、アンテナレベルが各チャンネルで良好となっているか否かを容易に確認することが可能となる。したがって、アンテナの設置作業や再調整作業を容易に行うことができる。また、アンテナレベル表示では、最大値と現在値が表示されるので、各チャンネルのアンテナレベルが最大となるように、アンテナの設置作業や再調整作業を容易に行うことができる。さらに、特定のチャンネルの画像が表示されない不具合が生じた場合、アンテナレベル表示モードを選択するだけで、全体的にアンテナレベルが低いのか、特定のチャンネルのアンテナレベルのみが低いのか容易に確認することができる。したがって、速やかなサービス対応が可能となる。
【００４１】
また、チャンネルスキャン動作を行って、受信可能なチャンネルのアンテナレベルを一覧表示する場合、受信できないチャンネルのアンテナレベル表示が行われることがないので、効率よくアンテナレベルを表示できる。また、チャンネルスキャン動作を繰り返してアンテナレベルの一覧表示を更新すれば、アンテナの向きが最良の方向とされて受信可能なチャンネルが増加したとき、新たに受信可能となったチャンネルのアンテナレベルを表示することが可能となる。
【００４２】
また、上述の実施の形態では、テレビジョン放送がディジタル放送である場合について説明したが、テレビジョン放送がアナログ放送であっても、アンテナレベルを一覧表示するものとしてもよい。この場合、制御部は例えばチューナ部１２に設けられて受信信号ＲＳの信号レベルを一定とするＡＧＣ回路の設定ゲインを読み出して、この読み出した設定ゲインをアンテナレベルに換算して表示すればよい。
【図面の簡単な説明】
【００４３】
【図１】放送受信装置の構成を示す図である。
【図２】アンテナレベル表示動作を示す図である。
【図３】アンテナレベル表示画面例を示す図である。
【図４】従来のアンテナレベル表示画面を示す図である。
【図５】他チャンネルのアンテナレベルを知る場合の表示画面を示す図である。
【符号の説明】
【００４４】
１０・・・放送受信装置、１１・・・アンテナ、１２・・・チューナ部、１３・・・ディジタル復調部、１４・・・誤り訂正処理部、１５・・・デマルチプレクサ、２１・・・デコーダ部、２２，２３・・・入力端子、３１・・・画像切換部、３２・・・オンスクリーン表示処理部、３３・・・信号処理部、３４・・・画像出力処理部、４１・・・音声切換部、４２・・・音声出力処理部、５０・・・制御部、５１・・・ユーザインタフェース部、５２・・・記憶部、５５・・・バス、６０・・・表示部、６５・・・音声出力部
【図１】
2009055460.tif 000003
【図２】
2009055460.tif 000004
【図３】
2009055460.tif 000005
【図４】
2009055460.tif 000006
【図５】
2009055460.tif 000007